(57)【要約】      （修正有）【課題】室内側の窓に色々の日差し除けが取付けられ、風通しもよく、省エネ対策に役立つすだれの固定具を提供する。【解決手段】壁取り付け用のＬ字受け金具４で支えられる腕木２の突先に円環５を施し、腕木（長・短式）と共に引掛棒１１を挿入し、引掛棒と突き刺し杆１８との間にすだれ２３を張着させ、貫落防止ピン９により必要以下の範囲に左右移動を防止する。障害を受ける事なくすだれと壁との空隙で問題なく窓の開け閉めが出来て、風通しがよくなる。【選択図】図１
0003212569.tif 000002
【実用新案登録請求の範囲】
【請求項１】
Ｌ字受け金具（４）の元部に回転軸ネジ（８）を施し、先端にロック柄（６）を固定させる為の誘導道を切欠させて係合させ該腕木の先端の円環（５）に引掛棒（１１）を挿入すると共に左右移動防止に貫落防止ピン（９）を設けさせるようにして圧縮や引張を加えることによって、同じに内側に双方が９０度回転し、枠体の収納や腕木がＬ字受け金具（４）に直線状に固定し係止することを特徴とするすだれの固定具。
【請求項２】
支柱（１３）の頭部にＬ型金具（１６）（コーナー用）を一体化にし引掛棒（１１）の小口に着脱可能で、脚部に突き刺し杆（１８）を地面に挿入しリングの頭部に施し、ベラング硬質の箇所に突き刺し管を取付け更に、すだれの断面が長方形の角材を上下や中間部に幾つかを、取付け張着させる為に引掛棒（１１）と支柱の双方の一方に引掛金具（１０）を取付けもう一方にバネ付き引掛金具（１２）を設けることに寄って、支柱（１３）を引き寄せ外れることはない請求項１に記載のすだれの固定具。
【請求項３】
別例としてＬ字受け金具（４）の元部にラジオアンテナ同様、腕木を幾つかに挿入して前後に移動可能にし、先端の引掛棒（１１）と腕木を固定させ左右のぶれを防止し、僅かな圧縮と引張力を加え収納や一垂線状に固定し、更にすだれを緊着する為に腕木の上面にカギ金具（１７）を設けてすだれ（２３）の頭部を引掛け又、下段の引掛棒（１１）にバネ付き引掛金具（１２）で固定することが出来る請求項２に記載のすだれ固定具。
【考案の詳細な説明】
【技術分野】
【０００１】  本考案は、窓枠に取付けた固定具を本体にすだれを取付けると共に風通しを考慮し窓とすだれとの間に空間を造り中間窓用すだれで日差しを遮断し、省エネ対策に役立つものに関する。
【背景技術】
【０００２】  日差し対策として、よしず・すだれ・シェード・マットを外窓に装着する為にこれらを色々の適宜の長さの紐で緊結し、転倒や風の煽りによって緩み等が生じ住宅のメイン箇所に美観を失い乏しさを与え芳しくない点が生じていた。【０００３】  又、２階の中間窓で、下屋の無い垂直壁にすだれやシェードを取付け取外しの際に、サッシの枠台に足を掛けたり馬台に乗って危険を招く為作業を行うのが億劫になり、１年中そのままの家が少なくない。【０００４】  脚付よしずの支柱脚部の調整具では、合成樹脂製にした筒に支柱となる無垢材を組合せてスライドさせる為外径を合せる必要が有り切落としや削出すなどして調整し又、裾部を風通しをするのに空間を設ける為支柱と支柱の間が自重で湾曲し中ずりに成り見栄えが悪い。
【先行技術文献】
実開平６−５２６７６
【考案の概要】
【考案が解決しようとする課題】
【０００５】  これは次のような欠点が有った。
（イ）よしずを壁に立て掛ける為、掃出しで出入が出来ず又、すだれは、裾部を紐で緊結して止める箇所が少なく、地面の上や屋上にブロックや重いものを置いて締め付けて固着していた。
（ロ）又、２階の中間窓のすだれやシェードの取付け作業は困難なことも多く、特に下屋の無い垂直壁である場合には危険な作業となる箇所であった。
本考案は以上の問題を解決する為に考案されたものである。
【課題を解決するための手段】
【０００６】  図１の枠体で壁にＬ字受け金具（４）を施し、上面で腕木を回転自在に可動させ元部に自在ネジで締付け、先端に開閉自在の腕木に掛止させる為のロック柄（６）を施し該ロック柄（６）をＬ字受け金具（４）の上面で切欠させ誘導道の入口に大面を設けロック穴（７）に嵌合させる。【０００７】  又、腕木（２）や引掛棒（１１）の小口に挿入したキャップ（１４）を設け腕木の先端に引掛棒（１１）をスライドさせる為の円環（５）を施し、中間部の上面にすだれ（２３）を覆い上端縁部を引掛け固定具で、吊上げ下端縁部でバネ付き引掛け金具（１２）で張着する。【０００８】  その上に、引掛棒（１１）の両サイド外側に貫落防止ピン（９）を備えコントロール棒（２４）で圧縮や引張力を加えることによって、調整され内側９０度に開閉され、すだれを張着時に腕木が掛止され取外し時に壁に収納される。【０００９】  更に頭部にすだれと壁との空間が出来て鴨居上の隅に腕木の元部を設ける為に障害となることなく通路として出入りし掃出しの出入りに十分に整えられる。【００１０】  そして、左右に着脱可能の支柱（１３）の頭部にＬ型金具（１６）を一体化にし、引掛棒（１１）の小口に貫外れ防止にバネで支柱（１３）に引寄せ又、脚部にリング（２０）を付けた突き刺し杆（１８）を地面に挿入しベランダや硬質の箇所に突き刺し管（１９）を底部にゴムパッキンを取付ける。【００１１】  更に、図２の枠体を上下段に固定し前記同様固定する。【００１２】  又、すだれ本体に上下端と中間部に僅かな幅広で、断面が強度のある無垢材や樹脂及び金属等をすだれの重用箇所の裏面に交え両支柱（１３）と引掛棒（１１）に引掛金具（１０）やバネ付き引掛金具（１２）を縁部に取付け取外しを可能にする。【００１３】  図５の別例として、伸縮腕木（３）のスライド管内の１本ずつの後方部にパッキンを挿入し前後を自在に作動させ腕木先端にＴ型金具（１５）に引掛棒（１１）を挿入させて腕木と固定させる。又掃出し頭部や中間窓の上下端に取付ける。
本考案以上の構成よりなるすだれ固定具である。
【考案の効果】
【００１４】  本考案のすだれを上記のようにより、枠体の設置によってよしずが掃出し前は起立状に近く大きな空間を設けられ通り足きも良く又、掃出しの出入口は、すだれの障害となることもなく風通が良い又、縁部にバネ付き金具が固定されているので、巻風の転倒を防止されると共にコントロール棒で取付け取外しが容易に装着できる。【００１５】  又、２階の垂直壁はすだれを引掛金具で緊結しているため危険な箇所を紐で緊張することなく更に、馬台や窓上に乗り降をすることもなくシーズンオフには、すだれをコントロール棒ですだれを外し枠体と共に収納され構成されたものである。ゆえに、すだれ固定具に置いて枠体及び支柱等に関する全ての製作の全権を得る。
【図面の簡単な説明】
【００１６】
【図１】大型窓用斜視図
【図２】中間窓用斜視図
【図３】大型窓用頭部拡大図
【図４】Ｌ字受け金具の拡大図
【図５】伸縮腕木の拡大図
【図６】実開平６−５２６７６の正面図
【考案を実施するための形態】
【００１７】  以下、本発明の具体的実施例の形態を図面に基づいて説明する。図１の本体（１）の枠体がＬ字受け金具（４）と腕木が一体化され腕木の元部で回転軸ネジ（８）で固定されて９０度開閉自在にされ又、腕木の長さを２５０・３７０・６００位に分ける。
【００１８】  図４のＬ字受け金具（４）の上面先端の穴に通じる誘導道に切欠部を施し、腕木の下部にゴム系を備えたロック柄（６）を挿入しゴムの弾力で係止される。
【００１９】  図１の回転自在の円環（５）に引掛棒（１１）を挿入し該円環（５）の外側に貫落防止ピン（９）を施し、引掛棒（１１）の突先にＬ型金具（１６）（コーナー）を支柱（１３）頭部に固着させ取付け取外しが容易にでき、すだれが風圧等を受けてもバネの引力で張着されているので外れることは無い。
【００２０】  ゆえに、支柱（１３）の脚部に上下自在でリング（２０）を付けた突き刺し杆（１８）を地面の悪土に挿入し又、突き刺し管（１９）に樹脂系のキャップ（１４）を硬質の床（ベランダ・タイル）等に加えてネジ調整で起立状に設ける。
【００２１】  図２の伸縮腕木（３）の管内の後方部に台円形バネやゴムパッキンを挿入し適宜な加減で動く範囲で作動させ伸び縮みを自由に出来るようにする。
【００２２】  図６実開平６−５２６７６の脚部によれば素材が、樹脂系で相手材が無垢材で製作されているので、無垢材（支柱）がその都度、挿入され、小口が異なる為に問題点が有り又、すだれを張着しても支柱（１３）と支柱（１３）との間で裾部が湾曲状に垂れ下り見苦しい点が生じられるが、本考案は突き刺し杆（１８）（管）（１９）が同型材で支柱が地面に挿入されネジを締めるだけで固定される。又、よしずは土の上に直接設置すれば裾部から繋ぎ系に掛けて腐食するので、よしずを横状に張着し土と裾部に空隙を取って支柱（１３）と支柱（１３）間に吊下げ、紐（２５）を引掛棒（１１）と鉄杭（２６）に緊結される為湾曲状になることはない。
【００２３】  図２の中間窓の小型サッシ系が外側に開閉される為に障害となり回転式腕木や伸縮腕木（３）が前方にすだれ（２３）を張着させる為、障害となる事が無い。
【００２４】  腕木の上面のカギ金具（１７）にすだれ（２３）を設置し図２の下段の引掛棒（１１）に張着をさせるに至って、上段や下段の断面の長方形の角材に台円型の金具を施しバネを取付け更にバネの先端に引掛金具（１０）を取付けて引掛棒（１１）に嵌込む。
【符号の説明】
【００２５】  １    本体
２    腕木（長・短）
３    伸縮腕木（スライド式）
４    Ｌ字受け金具
５    円環
６    ロック柄
７    ロック穴
８    回転軸ネジ
９    貫落防止ピン
１０  引掛金具
１１  引掛棒
１２  バネ付き引掛金具
１３  支柱
１４  キャップ
１５  Ｔ型金具
１６  Ｌ型金具
１７  カギ金具
１８  突き刺し杆
１９  突き刺し管
２０  リング
２１  止ネジ
２２  固定ビス
２３  すだれ
２４  コントロール棒
２５  紐
２６  鉄杭
【図１】
0003212569.tif 000003
【図２】
0003212569.tif 000004
【図３】
0003212569.tif 000005
【図４】
0003212569.tif 000006
【図５】
0003212569.tif 000007
【図６】
0003212569.tif 000008
【手続補正書】
【提出日】平成29年4月3日(2017.4.3)
【手続補正１】
【補正対象書類名】明細書
【補正対象項目名】全文
【補正方法】変更
【補正の内容】
【考案の詳細な説明】
【技術分野】
【０００１】  本考案は、窓枠に取付けた固定具を本体にすだれを取付けると共に風通しを考慮し窓とすだれとの間に空間を造り大型窓と中間窓及び小窓にすだれで日差しを遮断し、省エネ対策に役立つものに関する。
【背景技術】
【０００２】  日差し対策として、よしず・すだれ・シェード・マット等を外壁に装着する為にこれらを色々の適宜の長さの紐で緊結し、転倒や風の煽りによって緩み等が生じ住宅のメイン箇所に美観を失い乏しさを与え芳しくない点が生じていた。【０００３】  又、２階の中間窓で、下屋の無い垂直壁にすだれやシェードを取付け取外しの際に、サッシの枠台に足を掛けたり馬台に乗って危険を招く為作業を行うのが億劫になり、１年中そのままの家が少なくない。【０００４】  脚付よしずの支柱脚部の調整具では、合成樹脂製にした筒に支柱と同寸法の無垢材を組合せてスライドさせる為外径を合せる必要が有り切落としや削りなどして調整し又、裾部を風通しを良くする為に空間を設ける為、支柱と支柱の間の縦型よしずが下方向へ自重で湾曲し中ずりになり見栄えが悪い。
【先行技術文献】
実開平６−５２６７６
【考案の概要】
【考案が解決しようとする課題】
【０００５】  これは次のような欠点があった。
（イ）よしずを壁に立て掛ける為、掃出から出入が出来ず又、すだれは、裾部を紐で緊結    して止める箇所が少なく、地面の上や屋上にブロックや重い物を置いて締め付けて緊    結していた。
（ロ）又、２階の中間窓のすだれやシェードの取付け作業は困難なことも多く、特に下屋    の無い垂直壁である場合には危険な作業となる箇所であった。
本考案は、以上の問題を解決する為に考案されたものである。
【課題を解決するための手段】
【０００６】  図１の本体で壁にＬ字受け金具（６）を施し、上面で腕木を回転自在に可動させ元部を回転軸ネジで締付け、先端を開閉自在の腕木に掛止させる為のロック穴（９）を施し該ロック柄（８）をＬ字受け金具（６）の上面で切欠させ誘導道の入口に大面を設けロック穴（９）で係止させる。【０００７】  又、腕木（２）や引掛棒（１２）の小口にキャップを挿入し、腕木（２）の先端に引掛棒（１２）をスライドさせる為の円環（７）にすだれ頭部に設けた引掛金具（１１）で吊し下げる。【０００８】  その上に、引掛棒（１２）の両サイドの外側に貫落防止ピン（１０）を備えコントロール棒（２２）で腕木突端柄（５）に引掛て、圧縮や引張を加えることによって、調整され内側９０度に開閉され、すだれの頭部に引掛金具（１１）を固定するための補強板に取付けシーズンオフには吊下げたすだれを外し壁側に本体を折畳み収納される。【０００９】  更に、頭部にすだれと壁との空間が出来て鴨居上の両隅に腕木の元部を設ける為に障害となることなく通路として通り抜けが出来て掃出しからの出入りも問題なく広い解放窓が得られる。【００１０】  そして、左右に着脱可能の支柱（１４）の頭部にＬ型金具（１６）の内側に薄いゴム製の粘着剤を塗り付け乾燥させ適宜の加減で出し入れし固定する。又、突き刺し杆（１７）の中心部にリングを施し突き刺し杆（１７）を地面に挿入し支柱（１４）の脚部の止ネジを締め付け、もう一方の突き刺し丸管（１８）を逆にし、ベランダや外の硬質の箇所に使用し上下自在で止めネジ（１９）で固定される。【００１１】  更に、図１・図２の本体の軸組幅より左右を３００ｍｍ位の幅広にし斜めからの日差しを除ける為に突き出し、図２の引掛棒（２２）でバネ付き引掛金具（１３）に緊結し張着力によってすだれが張られ、風等の影響を防ぐ為、上下をすだれの頭部に縫み上げた縁部を解れ防止となると共に薄板で強度を増し引掛ける。【００１２】  図５の伸縮腕木（４）のスライド管内の後部を微妙にラッパ状に開き又ゴムパッキンを筒の後部に挿入し摩擦によって調整される。
【考案の効果】
【００１３】  本考案のすだれを上記のようにより、本体の設置によってよしずが掃出し前は起立状に近く大きな空間を設けられ通り抜けも良く、物を持って両手で通行ができ掃出しの出入口は、すだれの障害となることなく風通しも良く又、突き刺し杆で固定される支柱の脚部に紐で緊結される為、強風で転倒はありえない。【００１４】  又、図２に示す中間窓や小窓は下段の引掛棒にバネ付引掛金具で構成され、本体に受ける日差しが前後の出し入れの調整によってコントロール棒で可能にされコンパクトに収納され横ぶれや巻き上げられ等に関することがなく、素早く取付け取外しがコントロール棒によって簡単にできる。【００１５】よってすだれ固定具に置いて本体及び支柱等に関する構成の製作の全権を得る。
【図面の簡単な説明】
【００１６】
【図１】大型窓用斜視図
【図２】中間窓用斜視図
【図３】大型窓用頭部拡大図
【図４】腕木係止拡大図
【図５】伸縮腕木の拡大図
【図６】突き刺し杆・丸管正拡大図
【考案を実施するための形態】
【００１７】  以下、本考案の具体的実施例の形態を図面に基づいて説明する。図１の本体（１）の枠体がＬ字受け金具（６）と腕木（２）を一体化にし、可動できるように腕本（２）の元部で回転軸ネジ（３）にスプリングワッシャを挿入し摩擦が生じる範囲で回転可能にし、腕木突端柄（５）にコントロール棒（２２）で圧縮や引張を掛けて調整し最高９０度折り曲げができ、腕木（２）の長さを５００・６００・７００ｍｍが相応しい寸法に適する。
【００１８】  図４のＬ字受け金具（６）の上面先端のロック穴（９）に通じる誘導道に切欠部を施すことによって、板状の円形と繋がりロック柄（８）にゴム円環を挿入し、僅かな弾力で係止される。
【００１９】  図１の回転自在の円環（７）に引掛棒（１２）を挿入し円環（７）の外側に貫落防止ピン（１０）を施し、引掛棒（１２）が左右に移動し貫落ちを防ぐ為ピンを挿入する。更に引掛棒（１２）の左右の突先にＬ型金具（１６）の内側に薄いゴム製の粘着剤を膜のように塗り付け乾燥させ弾力性で固定させ、引掛棒（１２）から引掛金具（１１）で吊り下げられるすだれが支柱（１４）の脚部を紐で緊結する。
【００２０】  ゆえに、支柱（１４）の脚部に挿入する突き刺し杆（１７）の全長の中心部にリングを固定し地面用に突き刺し杆（１７）を硬質の表面に突き刺し丸管（１８）を止ネジ（１９）で締め付け鉄杭や紐等で固定する。
【００２１】  図２の伸縮腕木（４）の管内の後方部に微妙にラッパ状に開き又、ゴムパッキンを挿入し適宜な加減で動く範囲で作動を前後でさせ伸び縮みを自由に可能にさせる。又、腕木（２）のジョイント部が貫け落ちしない為のストップ丸柄を先端より４０ｍｍ位の位置に２個を筒内に凸状に打ち込みストップ地点とする。又、２階の窓関係は、巻き風や壁に叩き付けた煽りを受ける為バネ付き引掛金具（１１）が風圧の調整をコントロールする。
【００２２】  図６実開平５２６７６の脚部によれば素材が、樹脂系で相手材が無垢材で製作されているので、無垢材がその都度、挿入され、小口が異なる為に問題点が有り又、すだれを張着しても支柱（１４）と支柱（１４）との間で裾部が湾曲状に垂れ下り見苦しい点が生じられるが、本考案は突き刺し杆（１７）が地面に挿入され、すだれを横状に張着する為裾部を腐食や繋糸を薄板に固定し強度を増し又、すだれは引掛金具（１１）で等間隔に吊り下げられる為、片寄ったり下方向へ湾曲を生じることはない。
【００２３】  特に２階の難所の中間窓及び横状に並ぶ小窓等に設けられ中間窓が多用途の開放で窓が開き、手摺格子の障害物においても妨げとなることはない。
【符号の説明】
【００２４】  １  本体
２  腕木（キャップ付き）
３  回転軸ネジ
４  伸縮腕木（前後スライド式）
５  腕木突端柄
６  Ｌ字受け金具
７  円環
８  ロック柄
９  ロック穴
１０  貫落防止ピン
１１  引掛金具
１２  引掛棒（キャップ付き）
１３  バネ付き引掛金具
１４  支柱
１５  Ｔ型金具
１６  Ｌ型金具
１７  突き刺し杆（リング付き）
１８  突き刺し丸管（キャップ付き）
１９  止ネジ
２０  固定ビス
２１  すだれ
２２  コントロール棒
【手続補正２】
【補正対象書類名】実用新案登録請求の範囲
【補正対象項目名】全文
【補正方法】変更
【補正の内容】
【実用新案登録請求の範囲】
【請求項１】
Ｌ字受け金具（６）の元部に回転軸ネジ（３）を施し、先にロック柄（８）を固定させる為の誘導道を切欠させて係止させ、腕木の先端の円環（７）に引掛棒（１２）を挿入すると共に左右移動防止に貫落防止ピン（１０）を設けピンの内側範囲内で自在に回転が可能とされ腕木突端柄（５）に引掛けて圧縮や引張を加えることによって収納やＬ字受け金具（６）のロック穴（９）にロック柄（８）を挿入させ一直線状に係止させ、すだれを吊り下げられることを特徴とするすだれの固定具。
【請求項２】
支柱（１４）の頭部のＬ型金具（１６）を一体化にし引掛棒（１２）の小口に支柱（１４）の頭部のＬ字金具（１６）の筒内に薄いゴム製の粘着剤を薄く塗り付け着脱可能で、脚部に突き刺し杆（１７）を地面に挿入しリングを逆にし突き刺し杆（１７）を支柱（１４）に挿入し突き刺し丸管（１８）を下に向けベランダや硬質の箇所に取付け更に、すだれ（２１）の上端部に長方形の板に引掛金具（１１）を取付け吊り下げできることを請求項１記載を特徴とするすだれ固定金具。
【請求項３】
図２のＬ字受け金具（６）の元部をラジオアンテナ同様に腕木（２）を挿入させ前後に移動可能にし先端の引掛棒（１２）と腕木（２）先端部をＴ字金具（１５）によって固定され挿入筒の後部を僅かなラッパ状に開き又、ゴムパッキンで摩擦させ、僅かな引張や圧縮をコントロール棒（２２）で調整し更に上段の引掛棒（１２）に引掛金具（１１）を又、下段にスプリング付き引掛金具（１１）を取付けすだれ（２１）を張着する請求項２記載を特徴とするすだれ固定具。
【手続補正３】
【補正対象書類名】図面
【補正対象項目名】全図
【補正方法】変更
【補正の内容】
【図１】
0003212569.tif 000009
【図２】
0003212569.tif 000010
【図３】
0003212569.tif 000011
【図４】
0003212569.tif 000012
【図５】
0003212569.tif 000013
【図６】
0003212569.tif 000014
【手続補正書】
【提出日】平成29年4月10日(2017.4.10)
【手続補正１】
【補正対象書類名】明細書
【補正対象項目名】全文
【補正方法】変更
【補正の内容】
【考案の詳細な説明】
【技術分野】
【０００１】  本考案は、窓枠に取付けた固定具を本体にすだれを取付けると共に風通しを考慮し窓とすだれとの間に空間を造り大型窓と中間窓及び小窓にすだれで日差しを遮断し、省エネ対策に役立つものに関する。
【背景技術】
【０００２】  日差し対策として、よしず・すだれ・シェード・マット等を外壁に装着する為にこれらを色々の適宜の長さの紐で緊結し、転倒や風の煽りによって緩み等が生じ住宅のメイン箇所に美観を失い乏しさを与え芳しくない点が生じていた。【０００３】  又、２階の中間窓で、下屋の無い垂直壁にすだれやシェードを取付け取外しの際に、サッシの枠台に足を掛けたり馬台に乗って危険を招く為作業を行うのが億劫になり、１年中そのままの家が少なくない。【０００４】  脚付よしずの支柱脚部の調整具では、合成樹脂製にした筒に支柱と同寸法の無垢材を組合せてスライドさせる為外径を合せる必要が有り切落としや削りなどして調整し又、裾部を風通しを良くする為に空間を設ける為、支柱と支柱の間の縦型よしずが下方向へ自重で湾曲し中ずりになり見栄えが悪い。
【先行技術文献】
実開平６−５２６７６
【考案の概要】
【考案が解決しようとする課題】
【０００５】  これは次のような欠点があった。
（イ）よしずを壁に立て掛ける為、掃出から出入が出来ず又、すだれは、裾部を紐で緊結  して止める箇所が少なく、地面の上や屋上にブロックや重い物を置いて締め付けて緊結  していた。
（ロ）又、２階の中間窓のすだれやシェードの取付け作業は困難なことも多く、特に下屋  の無い垂直壁である場合には危険な作業となる箇所であった。
本考案は、以上の問題を解決する為に考案されたものである。
【課題を解決するための手段】
【０００６】  図１の本体で壁にＬ字受け金具（６）を施し、上面で腕木を回転自在に可動させ元部を回転軸ネジで締付け、先端を開閉自在の腕木に掛止させる為のロック穴（９）を施し該ロック柄（８）をＬ字受け金具（６）の上面で切欠させ誘導道の入口に大面を設けロック穴（９）で係止させる。【０００７】  又、腕木（２）や引掛棒（１２）の小口にキャップを挿入し、腕木（２）の先端に引掛棒（１２）をスライドさせる為の円環（７）にすだれ頭部に設けた引掛金具（１１）で吊し下げる。【０００８】  その上に、引掛棒（１２）の両サイドの外側に貫落防止ピン（１０）を備えコントロール棒（２２）で腕木突端柄（５）に引掛て、圧縮や引張を加えることによって、調整され内側９０度に開閉され、すだれの頭部に引掛金具（１１）を固定するための補強板に取付けシーズンオフには吊下げたすだれを外し壁側に本体を折畳み収納される。【０００９】  更に、頭部にすだれと壁との空間が出来て鴨居上の両隅に腕木の元部を設ける為に障害となることなく通路として通り抜けが出来て掃出しからの出入りも問題なく広い解放窓が得られる。【００１０】  そして、左右に着脱可能の支柱（１４）の頭部にＬ型金具（１６）の内側に薄いゴム製の粘着剤を塗り付け乾燥させ適宜の加減で出し入れし固定する。又、突き刺し杆（１７）の中心部にリングを施し突き刺し杆（１７）を地面に挿入し支柱（１４）の脚部の止ネジを締め付け、もう一方の突き刺し丸管（１８）を逆にし、ベランダや外の硬質の箇所に使用し上下自在で止めネジ（１９）で固定される。【００１１】  更に、図１・図２の本体の軸組幅より左右を３００ｍｍ位の幅広にし斜めからの日差しを除ける為に突き出し、図２の引掛棒（２２）でバネ付き引掛金具（１３）に緊結し張着力によってすだれが張られ、風等の影響を防ぐ為、上下をすだれの頭部に縫み上げた縁部を解れ防止となると共に薄板で強度を増し引掛ける。【００１２】  図５の伸縮腕木（４）のスライド管内の後部を微妙にラッパ状に開き又ゴムパッキンを筒の後部に挿入し摩擦によって調整される。
【考案の効果】
【００１３】  本考案のすだれを上記のようにより、本体の設置によってよしずが掃出し前は起立状に近く大きな空間を設けられ通り抜けも良く、物を持って両手で通行ができ掃出しの出入口は、すだれの障害となることなく風通しも良く又、突き刺し杆で固定される支柱の脚部に紐で緊結される為、強風で転倒はありえない。【００１４】  又、図２に示す中間窓や小窓は下段の引掛棒にバネ付引掛金具で構成され、本体に受ける日差しが前後の出し入れの調整によってコントロール棒で可能にされコンパクトに収納され横ぶれや巻き上げられ等に関することがなく、素早く取付け取外しがコントロール棒によって簡単にできる。【００１５】よってすだれ固定具に置いて本体及び支柱等に関する構成の製作の全権を得る。
【図面の簡単な説明】
【００１６】
【図１】大型窓用斜視図
【図２】中間窓用斜視図
【図３】大型窓用頭部拡大図
【図４】腕木係止拡大図
【図５】伸縮腕木の拡大図
【図６】突き刺し杆・丸管正拡大図
【考案を実施するための形態】
【００１７】  以下、本考案の具体的実施例の形態を図面に基づいて説明する。図１の本体（１）の枠体がＬ字受け金具（６）と腕木（２）を一体化にし、可動できるように腕木（２）の元部で回転軸ネジ（３）にスプリングワッシャを挿入し摩擦が生じる範囲で回転可能にし、腕木突端柄（５）にコントロール棒（２２）で圧縮や引張を掛けて調整し最高９０度折り曲げができ、腕木（２）の長さを５００・６００・７００ｍｍが相応しい寸法に適する。
【００１８】  図４のＬ字受け金具（６）の上面先端のロック穴（９）に通じる誘導道に切欠部を施すことによって、板状の円形と繋がりロック柄（８）にゴム円環を挿入し、僅かな弾力で係止される。
【００１９】  図１の回転自在の円環（７）に引掛棒（１２）を挿入し円環（７）の外側に貫落防止ピン（１０）を施し、引掛棒（１２）が左右に移動し貫落ちを防ぐ為ピンを挿入する。更に引掛棒（１２）の左右の突先にＬ型金具（１６）の内側に薄いゴム製の粘着剤を膜のように塗り付け乾燥させ弾力性で固定させ、引掛棒（１２）から引掛金具（１１）で吊り下げられるすだれが支柱（１４）の脚部を紐で緊結する。
【００２０】  ゆえに、支柱（１４）の脚部に挿入する突き刺し杆（１７）の全長の中心部にリングを固定し地面用に突き刺し杆（１７）を硬質の表面に突き刺し丸管（１８）を止ネジ（１９）で締め付け鉄杭や紐等で固定する。
【００２１】  図２の伸縮腕木（４）の管内の後方部に微妙にラッパ状に開き又、ゴムパッキンを挿入し適宜な加減で動く範囲で作動を前後でさせ伸び縮みを自由に可能にさせる。又、腕木（２）のジョイント部が貫け落ちしない為のストップ丸柄を先端より４０ｍｍ位の位置に２個を筒内に凸状に打ち込みストップ地点とする。又、２階の窓関係は、巻き風や壁に叩き付けた煽りを受ける為バネ付き引掛金具（１１）が風圧の調整をコントロールする。
【００２２】  図６実開平５２６７６の脚部によれば素材が、樹脂系で相手材が無垢材で製作されているので、無垢材がその都度、挿入され、小口が異なる為に問題点が有り又、すだれを張着しても支柱（１４）と支柱（１４）との間で裾部が湾曲状に垂れ下り見苦しい点が生じられるが、本考案は突き刺し杆（１７）が地面に挿入され、すだれを横状に張着する為裾部を腐食や繋糸を薄板に固定し強度を増し又、すだれは引掛金具（１１）で等間隔に吊り下げられる為、片寄ったり下方向へ湾曲を生じることはない。
【００２３】  特に２階の難所の中間窓及び横状に並ぶ小窓等に設けられ中間窓が多用途の開放で窓が開き、手摺格子の障害物においても妨げとなることはない。
【符号の説明】
【００２４】  １  本体
２  腕木（キャップ付き）
３  回転軸ネジ
４  伸縮腕木（前後スライド式）
５  腕木突端柄
６  Ｌ字受け金具
７  円環
８  ロック柄
９  ロック穴
１０  貫落防止ピン
１１  引掛金具
１２  引掛棒（キャップ付き）
１３  バネ付き引掛金具
１４  支柱
１５  Ｔ型金具
１６  Ｌ型金具
１７  突き刺し杆（リング付き）
１８  突き刺し丸管（キャップ付き）
１９  止ネジ
２０  固定ビス
２１  すだれ
２２  コントロール棒
【手続補正２】
【補正対象書類名】実用新案登録請求の範囲
【補正対象項目名】全文
【補正方法】変更
【補正の内容】
【実用新案登録請求の範囲】
【請求項１】
Ｌ字受け金具（６）の元部に回転軸ネジ（３）を施し、先にロック柄（８）を固定させる為の誘導道を切欠させて係止させ、腕木の先端の円環（７）に引掛棒（１２）を挿入すると共に左右移動防止に貫落防止ピン（１０）を設けピンの内側範囲内で自在に回転が可能とされ腕木突端柄（５）に引掛けて圧縮や引張を加えることによって収納やＬ字受け金具（６）のロック穴（９）にロック柄（８）を挿入させ一直線状に係止させ、すだれを吊り下げられることを特徴とするすだれの固定具。
【請求項２】
支柱（１４）の頭部のＬ型金具（１６）を一体化にし引掛棒（１２）の小口に支柱（１４）の頭部のＬ字金具（１６）の筒内に薄いゴム製の粘着剤を薄く塗り付け着脱可能で、脚部に突き刺し杆（１７）を地面に挿入しリングを逆にし突き刺し杆（１７）を支柱（１４）に挿入し突き刺し丸管（１８）を下に向けベランダや硬質の箇所に取付け更に、すだれ（２１）の上端部に長方形の板に引掛金具（１１）を取付け吊り下げできることを請求項１記載を特徴とするすだれ固定金具。
【請求項３】
図２のＬ字受け金具（６）の元部をラジオアンテナ同様に腕木（２）を挿入させ前後に移動可能にし先端の引掛棒（１２）と腕木（２）先端部をＴ字金具（１５）によって固定され挿入筒の後部を僅かなラッパ状に開き又、ゴムパッキンで摩擦させ、僅かな引張や圧縮をコントロール棒（２２）で調整し更に上段の引掛棒（１２）に引掛金具（１１）を又、下段にスプリング付き引掛金具（１１）を取付けすだれ（２１）を張着する請求項２記載を特徴とするすだれ固定具。
【手続補正３】
【補正対象書類名】図面
【補正対象項目名】全図
【補正方法】変更
【補正の内容】
【図１】
0003212569.tif 000015
【図２】
0003212569.tif 000016
【図３】
0003212569.tif 000017
【図４】
0003212569.tif 000018
【図５】
0003212569.tif 000019
【図６】
0003212569.tif 000020
【手続補正書】
【提出日】平成29年6月30日(2017.6.30)
【手続補正１】
【補正対象書類名】実用新案登録請求の範囲
【補正対象項目名】全文
【補正方法】変更
【補正の内容】
【実用新案登録請求の範囲】
【請求項１】
Ｌ字受け金具（６）の元部に回転軸ネジ（３）を施し、先にロック柄（８）を固定させる為の誘導道を切欠させて係止させ、腕木の先端の円環（７）に引掛棒（１２）を挿入するとともに、引掛棒（１２）に左右移動防止に貫落防止ピン（１０）を設けピンの内側範囲内で自在に回転が可能とされ、
腕木突端柄（５）にコントロール棒（２２）を引掛けて圧縮や引張を加えることによって収納を行うとともに、Ｌ字受け金具（６）のロック穴（９）にロック柄（８）を挿入させ一直線状に係止させ、すだれを吊り下げられることを特徴とするすだれの固定具。
【請求項２】
支柱（１４）の頭部のＬ型金具（１６）を一体化にし引掛棒（１２）の小口に支柱（１４）の頭部のＬ型金具（１６）の筒内に薄いゴム製の粘着剤を薄く塗り付け着脱可能で、脚部に突き刺し杆（１７）を地面に挿入しリングを逆にし突き刺し杆（１７）を支柱（１４）に挿入し突き刺し丸管（１８）を下に向けベランダや硬質の箇所に取付け更に、すだれ（２１）の上端部に長方形の板に引掛金具（１１）を取付け吊り下げできることを特徴とする請求項１に記載のすだれの固定具。
【請求項３】
Ｌ字受け金具（６）の元部をラジオアンテナ同様に腕木（２）を挿入させ前後に移動可能にし先端の引掛棒（１２）と腕木（２）先端部をＴ字金具（１５）によって固定され挿入筒の後部を僅かなラッパ状に開き又、ゴムパッキンで摩擦させ、僅かな引張や圧縮をコントロール棒（２２）で調整し更に上段の引掛棒（１２）に引掛金具（１１）を又、下段にスプリング付き引掛金具（１１）を取付けすだれ（２１）を張着するすだれの固定具。